(57)【要約】【課題】夾雑物の捕捉できる容量を大きくし、構造を簡素化する。【解決手段】筒状ケーシング１内の筒軸方向両端に二つの誘導室５ａ，５ｂを設け、その両誘導室５ａ，５ｂ間に筒状のフィルタエレメント２を配置し、そのエレメント２内を流入室３とする。前記エレメント２周面外側には流出室４を設け、隔壁７に設けた逆止弁１２付の両流出孔７ａ，７ｂを介して両誘導室５ａ，５ｂにそれぞれ連通し、流入室３は、前記エレメント２の筒軸方向両端に設けた逆止弁１１付の二つの流入孔２ａ，２ｂを介して両誘導室５ａ，５ｂにそれぞれ連通する。流入室３への流入水は常に筒軸方向両端から流入し、前記エレメント２は、その周面全体に亘って広い面積で流入室３と流出室４とを連通させることができるので、夾雑物の捕捉機能を充分な容量のものとし得る。また、水の流れは、一の誘導室から他の誘導室へと、筒軸方向に沿って流路配置が単純化されて簡単な構成のものとし得る。【選択図】図１
2005230768.tif 000002
【特許請求の範囲】
【請求項１】
筒状のケーシング１内の筒軸方向両端に二つの誘導室５ａ，５ｂを設け、その両誘導室５ａ，５ｂ間を結ぶ筒状のフィルタエレメント２を配置して、そのフィルタエレメント２の内側を流入室３とし、前記フィルタエレメント２周面の外側には、隔壁７を介して前記誘導室５ａ，５ｂと接する流出室４を設け、
前記流出室４は、前記フィルタエレメント２の周面に設けた透孔１０ａを介して流入室３と連通するとともに、前記隔壁７に設けた二つの流出孔７ａ，７ｂを介して両誘導室５ａ，５ｂに連通し、流入室３は、前記フィルタエレメント２の筒軸方向両端に設けた二つの流入孔２ａ，２ｂを介して両誘導室５ａ，５ｂにそれぞれ連通するものであり、
前記両流入孔２ａ，２ｂには、流入室３への流入のみ許容する逆止弁１１，１１を、流出孔７ａ，７ｂには、流出のみ許容する逆止弁１２，１２を設け、その両誘導室５ａ，５ｂには、それぞれ流水管Ｐ，Ｐを接続したストレーナ装置。
【請求項２】
前記流入室３には、前記フィルタエレメント２の筒軸心と同心の中空回転軸１３がケーシング１を貫通して設けられ、そのフィルタエレメント２周面の前記流入室３と流出室４との連通部分には、その回転軸１３内側の中空部１４から前記フィルタエレメント２内周に延びて回転軸１３とともに軸周りに回転するノズル１７をその周面連通部分に向けて配置するとともに、前記中空部１４は、開閉弁９を介して外部と連通していることを特徴とする請求項１に記載のストレーナ装置。
【発明の詳細な説明】
【技術分野】
【０００１】
この発明は、流水管内を流れる夾雑物を除去するために、流水管の途中に介設されるストレーナ装置に関するものである。
【背景技術】
【０００２】
一般的に、流水管は、その管内面にライニング等を施すことにより錆止め等を行い、管内を流れる水に錆や異物が混入しないようにしている。しかし、その流水管の配管工事において、孔明け工事や切断工事等を行った際に発生した金属粉が、管内の水に混入する場合がある。また、工事の際に生じた流水管の金属露出部で発生する錆や、管路内へ混じる砂利等が管内の水に混入する場合もある。これらの夾雑物は、流水管下流に供給される水の水質を悪化させるので、流水中に夾雑物があることは好ましくない。そこで、流水管の途中に、フィルタを流路に介在させて、流水をそのフィルタを通過させることにより夾雑物を取り除くストレーナ装置が採用される。
【０００３】
例えば、特許文献１に記載の装置は、図７に示すように、流水管Ｐ，Ｐ’に水が流入するケーシング４０を介在させて、そのケーシング４０内を通常の状態で流水が流入して流出されていく貫通室４１と、夾雑物を排出するための排出室４８とを区画し、前記貫通室４１には円筒状のフィルタ４２を垂直に装着するとともに、前記排出室４８には大気中に水を流出できる開閉弁４９を設けたストレーナ装置である。
【０００４】
この装置では、上流側の流水管Ｐから貫通室４１内の筒状フィルタ４２内側に流入した水が、そのフィルタ４２の周面を外側に向かって通過した後、その下流側の流水管Ｐ’に放出される。フィルタ４２を通過できなかった夾雑物は、そのフィルタ４２内周面に捕捉され、そのうち比重の小さな夾雑物はその内周面に付着し、比重の大きな夾雑物はフィルタ４２底面に落下して堆積する。
【０００５】
このとき、フィルタ４２の内側には、そのフィルタ４２の筒軸心と同一中心で回転する中空の回転軸４３が設けられており、その回転軸４３にはフィルタ４２内周直近にまで延びてその内周に向くノズル４７（開口孔）が設けられて、そのノズル４７が回転軸４３とともに軸周りに回転するようになっている。このノズル４７とフィルタ４２内周面とで構成する逆洗室４４が、前記排出室４８と連通している。前記排出室４８と管外部とを連通する開閉弁４９は、通常は閉められている。
【０００６】
排出室４８の開閉弁４９を開くことにより、管内圧と大気圧との間に圧力差が生じ、流水がフィルタ４２を外側から内側に向かって逆の向きに通過して、排出室４８に連通する前記逆洗室４４へ取り込まれる。フィルタ４２への付着物が多くなってきた場合には、ノズル４７の縁がフィルタ４２内周面に接しているので、外力により回転軸４３を回してノズル４７全体を回転することにより、その縁が内周面に付着した夾雑物を吸い取って除去する。除去された夾雑物は、水とともに逆洗室４４に流入し、その後、排出室４８へ移送され開閉弁４９を介して外部に排出される。
【０００７】
この逆洗機能により、ストレーナ装置本体を分解等することなく、フィルタに付着、堆積した夾雑物を容易に清掃できるようにしている（例えば、特許文献１参照）。
【０００８】
しかし、図７に示すストレーナ装置は、流体の流れ方向が決まっている流水管にのみ設置することができる単方向型のものである。網の目のように張り巡らされた上水道配管においては、水の流れ方向が逆転する場合があるので、この装置は、流れ方向の判断が困難な箇所、あるいは、構造的に双方向の流れが発生する箇所には設置することができない。このため、流水管に生じる双方向の流れに対応できるようにした種々の技術が開示されている。
【０００９】
例えば、特許文献２に記載の装置は、ケーシング内に設けた左右二つの上室に両流水管Ｐ，Ｐをそれぞれ接続し、同じくケーシング内に上下方向に配置した筒状フィルタの内外に、それぞれ間室と中室とを設けるとともに、その間室を含む空間と前記左右両上室との間に、それぞれその左右両上室から間室への流入のみ許容する逆止弁を、中室と前記左右両上室との間には、それぞれその中室から左右両上室への流出のみ許容する逆止弁を設けて、双方向の流れに対応して夾雑物を除去し得るようにしたものである（例えば、特許文献２参照）。
【００１０】
また、特許文献３に記載の装置は、ケーシング内に配置したフィルタ内外の空間をそれぞれ流入室と流出室とに区画するとともに、ケーシングと両流水管との接続部に、それぞれ双方向に向く逆止弁を並列させて設け、その流入室と両流水管とは、前記双方向に向く逆止弁のうち流入室への流入のみ許容する逆止弁を介してそれぞれ接続し、また流出室と両流水管とは、流出室からの流出のみ許容する逆止弁を介してそれぞれ接続するようにしたものである（例えば、特許文献３参照）。
【特許文献１】特開平１０−１３７５１６号公報
【特許文献２】実開平１−１５１８１０号公報
【特許文献３】特開平７−１８５２２３号公報
【発明の開示】
【発明が解決しようとする課題】
【００１１】
特許文献２に記載の装置は、筒状フィルタ（スクリーンパイプ）内側への流水の流入、及び外側へ向かう流出を、流水管の流れ方向に係わらず常に一定方向とするために、両流水管に接続される左右上室と、その左右上室から合流するように配置された間室、その間室からの水がフィルタを通過後に流入する中室とを設けている。すなわち、前記筒状フィルタは、筒軸方向上方が前記間室に面し、下方が前記中室に面し、前記中室に面する部分にのみ夾雑物を捕捉できるメッシュ部が形成されている。このため、フィルタの筒軸方向長さに占める夾雑物を除去できるメッシュ部分の比率が少なく、ケーシングの大きさに見合う夾雑物の除去容量が確保できない。また、流水経路がケーシング内において複雑に交錯することも、ケーシングの構成を複雑にする原因となっている。
【００１２】
また、特許文献３に記載の装置は、フィルタ内側の流入室への流水を流入させるために、そのフィルタ周面に開口を設けて、その周面開口を介して流入室に流水管を接続している。このため、フィルタ周面はその全周でもって夾雑物を捕捉できるわけではない。また、その流入室はケーシング内の内側に配置されているため、その流入室と流水管との接続は、そのケーシング内の外側に位置する流出室を横断するように接続管を配置し、その接続管を介して連通させる必要がある。このため、ケーシング内の構造が複雑である。
【００１３】
そこで、この発明は、ストレーナ装置を、流水管に発生する双方向に流れに対応できるようにするとともに、夾雑物の捕捉できる容量を大きくし、また、そのケーシング内の構造を簡素化することを課題とする。
【課題を解決するための手段】
【００１４】
上記の課題を解決するために、この発明は、筒状ケーシング内両端に流水管に接続される２つの誘導室を設け、その両誘導室間に筒状フィルタエレメントを配置して、そのエレメント内側を流入室とし、前記フィルタエレメント周面外側には、隔壁を介して前記両誘導室と接する流出室を設けたのである。流入室は、前記フィルタエレメントの筒軸方向両端に設けた二つの流入孔を介して両誘導室と連通し、また、流出室は、その隔壁に設けた二つの流出孔を介して両誘導室と連通する。このようにすれば、流入室への流入水は、その流水管に生じる流れ方向にかかわらず、常にそのフィルタエレメントの筒軸方向両端のいずれかの流入孔から流入室内へ流入するようになる。このため、フィルタエレメントは、その周面全体に亘って広い面積で流出室と連通させることができるので、限られたケーシング内スペースにおいて、夾雑物の捕捉機能を充分な容量のものとし得る。
【００１５】
具体的には、筒状のケーシング内の筒軸方向両端に二つの誘導室を設け、その両誘導室間を結ぶ筒状のフィルタエレメントを配置して、そのフィルタエレメントの内側を流入室とし、前記フィルタエレメント周面の外側には、隔壁を介して前記誘導室と接する流出室を設ける。その流出室は、前記フィルタエレメントの周面に設けた透孔を介して流入室と連通するとともに、前記隔壁に設けた二つの流出孔を介して両誘導室に連通し、流入室は、前記フィルタエレメントの筒軸方向両端に設けた二つの流入孔を介して両誘導室にそれぞれ連通する。その両流入孔には、流入室への流入のみ許容する逆止弁を、流出孔には、流出のみ許容する逆止弁を設け、その両誘導室には、それぞれ流水管を接続したのである。
【００１６】
このようにすれば、ケーシングには、その筒軸方向両端に設けた両誘導室を介してそれぞれ流水管が接続され、フィルタエレメントもその筒軸方向が前記両誘導室間を結ぶように配置されるので、ケーシング内の水の流れは、一の誘導室から他の誘導室へと、そのフィルタエレメント内外に亘って、それぞれケーシング及びフィルタエレメントの筒軸方向にほぼ沿う流れとなる。このため、ケーシング内の水の流れを、その流水管の流れ方向に沿ったスムースなものとし得るとともに、ケーシング内の流路配置が単純化されるので、そのケーシングを簡単な構成のものとし得る。
【００１７】
また、前記流入室内には、逆洗機能を設けることもできる。その構成は、前記流入室は、前記フィルタエレメントの筒軸心と同心の中空回転軸がケーシングを貫通して設けられ、そのフィルタエレメント周面メッシュ部には、その回転軸内側の中空部から前記フィルタエレメント内周に延びて回転軸とともに軸周りに回転するノズルをそのメッシュ部に向けて配置するとともに、前記中空部は、開閉弁を介して外部と連通するようにしたのである。
【００１８】
このようにすれば、前記ケーシング内において、フィルタエレメント内外の筒軸方向に沿う流れを阻害することなく、逆洗機能を付加し得る。このとき、中空回転軸は、筒状のフィルタエレメント端面を貫通することになるが、前記流入孔は、フィルタエレメント両端部において、この貫通位置以外に設ければよい。
【発明の効果】
【００１９】
この発明は、以上のようにしたので、単方向の流れのみ発生する流水管、及び双方向に流れの発生する流水管のどちらにも対応できるものとし得るとともに、夾雑物の捕捉機能を充分大きな容量とし得る。
【発明を実施するための最良の形態】
【００２０】
一実施形態を図１乃至図３に示し、この実施形態のストレーナ装置は、流水に混入した異物（夾雑物）を除去するために、流水管Ｐ，Ｐの途中に介設されるフィルタ式のストレーナ装置である。
【００２１】
この装置は、図１及び図２に示すように、筒状ケーシング１内において、その筒軸方向両端に二つの誘導室５ａ，５ｂを設け、その両誘導室５ａ，５ｂ間を結ぶ筒状のフィルタエレメント２を、そのフィルタエレメント２の筒軸方向がケーシング１の筒軸方向と平行になるように配置している。
【００２２】
そのフィルタエレメント２の内側を流入室３とし、フィルタエレメント２周面の外側には、その周面全周に亘る流出室４を配置して、流入室３と流出室４とは、フィルタエレメント２周面の筒軸方向中程において、その全周に設けたメッシュ部１０の透孔１０ａを介して連通するようになっている。また、流出室４は、図１及び図２に示すように、その筒軸方向端面が、隔壁７，７を介して前記誘導室５ａ，５ｂとそれぞれ接するように配置されており、筒軸周り方向周面の一部は、隔壁７を介して同じく前記誘導室５ａ，５ｂと接するように配置されている。その両誘導部５ａ，５ｂは、前記流出室４のさらに外側部分において、仕切壁８を介して、筒軸方向に接するように配置されている。
【００２３】
この流入室３と流出室４との連通は、前記フィルタエレメント２の筒軸方向両端部を、前記透孔１０ａを有するメッシュ部１０からさらに筒軸方向外側へと延長したその周面に設けた二つの流入孔２ａ，２ｂを介して、両誘導室５ａ，５ｂにそれぞれ連通しており、前記流出室４と誘導室５ａ，５ｂとの連通は、前記隔壁７のうち、前記筒軸周り方向周面の一部に設けた二つの流出孔７ａ，７ｂを介して、両誘導室５ａ，５ｂにそれぞれ連通している。
【００２４】
その両流入孔２ａ，２ｂには、流入室３への流入のみ許容する逆止弁１１，１１を、流出孔７ａ，７ｂには、流出のみ許容する逆止弁１２，１２を設け、その両誘導室５ａ，５ｂには、それぞれ筒軸方向端部に設けた開口２１ａ，２１ｂを介して、流水管Ｐ，Ｐを接続している。
【００２５】
前記流入室３には、前記フィルタエレメント２の筒軸心と同心の中空回転軸１３が、そのフィルタエレメント２の両端面２０ａ，２０ｂと、ケーシング１とを貫通して設けられており、そのフィルタエレメント２周面の前記流入室３と流出室４との連通部分であるメッシュ部１０には、その回転軸１３内側の中空部１４から前記メッシュ部１０内周に延びて回転軸１３とともに軸周りに回転するノズル１７をその周面連通部分に向けて配置している。前記中空部１４は、ケーシング１の開口１５から外部に引き出されて、開閉弁９を介して管外部と連通している。
【００２６】
逆止弁１１，１２の構成は、それぞれ、図１及び図２に示すように、各弁１１，１２の設置箇所において、一定の方向の流れが生じた場合にのみ開弁するようになっている。すなわち、逆止弁１１の設置箇所においては、バネ等の弾性体により付勢された弁体３１が弁室３３内に配置され、その弁体３１が前記付勢力により弁座３２に押し付けられて弁孔である流入孔２ａ、２ｂを閉じている。誘導室５ａ，５ｂから流入室３へと向かう流れが発生すると、前記付勢力に抗して流水が弁体３１を押し、流入孔２ａ，２ｂを開放するようになっている。
【００２７】
また、逆止弁１２の設置箇所においては、回転軸周りに揺動可能に取り付けられ、バネ等の弾性体により付勢された弁体３４が流出孔７ａ，７ｂに配置され、その弁体３４が前記付勢力により弁座３５に押し付けられて弁孔である流出孔７ａ，７ｂを閉じている。流出室４から誘導室５ａ，５ｂへと向かう流れが発生すると、前記付勢力に抗して流水が弁体３４を押し、流出孔７ａ，７ｂを開放するようになっている。
【００２８】
このストレーナ装置の作用を説明すると、まず、図１に示すように、図中下方の流水管Ｐから誘導室５ｂに流入した水は逆止弁１１を開放し、流入孔２ｂを通過して流入室３へと流入する。その水は、フィルタエレメント２の周面のメッシュ部１０の透孔１０ａを、その内側から外側に向かって通過して流出室４へ流れ込み、夾雑物はそのフィルタエレメント２内周面に捕捉される。さらに流水は、流出室４から、流出孔７ａを通過して誘導室５ａへと流入し、図中上方の流水管Ｐから排出される。このとき、流入孔２ａの逆止弁１１、及び流出孔７ｂの逆止弁１２は、閉じられたままであるので、ケーシング１内を水が逆流しないようになっている。
【００２９】
つぎに、流水管Ｐに逆方向の流れが発生すると、図２に示すように、図中上方の流水管Ｐから誘導室５ａに流入した水は逆止弁１１を開放し、流入孔２ａを通過して流入室３へと流入する。その水は、フィルタエレメント２の周面のメッシュ部１０の透孔１０ａを、その内側から外側に向かって通過して流出室４へ流れ込み、夾雑物はそのフィルタエレメント２内周面に捕捉される。さらに流水は、流出室４から、流出孔７ｂを通過して誘導室５ｂへと流入し、図中下方の流水管Ｐから排出される。このとき、流入孔２ｂの逆止弁１１、及び流出孔７ａの逆止弁１２は、閉じられたままであるので、ケーシング１内を水が逆流しないようになっている。
【００３０】
なお、逆洗を行うときには、回転軸１３のレバー１６操作により、ノズル１７がメッシュ部１０に沿って回転し、開閉弁９を開放することにより夾雑物とともに水が外部に排出される。その作用、及び操作については、従来例と同様であるので、説明は省略する。
【００３１】
この実施形態では、流入室３内に回転軸１３等を設けて逆洗機能を付加したが、この実施形態には限定されず、逆洗機能を省略することは可能である。
【００３２】
逆洗機能を設けない場合には、フィルタエレメント２に設ける流入孔２ａ，２ｂの位置は、前記回転軸１３がフィルタエレメント２を貫通する位置に影響されず、エレメント２両端部の自由な位置に設置可能である。例えば、図４及び図５に示すように、フィルタエレメント２の両端面２０ａ，２０ｂに流入孔２ａ，２ｂをそれぞれ設ければ、フィルタエレメント２の筒軸方向長さが、前記メッシュ部１０の筒軸方向長さと同等程度に短くなるので、そのエレメント２を収納するケーシング１をさらにコンパクトなものとし得る。
【００３３】
また、逆止弁１１，１２は、この実施形態のものには限定されず、周知の逆止弁が使用できる。例えば、図４及び図５に示すように、逆止弁１１，１２の双方を遥動弁としてもよい。
【００３４】
さらに、この実施形態では、仕切壁８を介して両誘導室５ａ，５ｂが隣接した構造となっているが、両誘導室５ａ，５ｂがケーシング１内において、その筒軸方向両側に位置する限りにおいて、両室５ａ，５ｂが隣接していない構造としてもよい。
【図面の簡単な説明】
【００３５】
【図１】一実施形態の断面図
【図２】同実施形態の断面図
【図３】図１のケーシングのＡ−Ａ断面図
【図４】他の実施形態の断面図
【図５】同実施形態の断面図
【図６】図４のケーシングのＢ−Ｂ断面図
【図７】従来例の断面図
【符号の説明】
【００３６】
１，４０  ケーシング
２  フィルタエレメント
２ａ，２ｂ  流入孔
３  流入室
４  流出室
５ａ，５ｂ  誘導室
６  流入路
７  隔壁
７ａ，７ｂ  流出孔
８  仕切壁
９，４９  開閉弁
１１，１２  逆止弁
１３，４３  回転軸
１４，４４  中空部
１５  開口
１６  レバー
１７，４７  ノズル
２０ａ，２０ｂ  端面
２１ａ，２１ｂ  開口
３１，３４  弁体
Ｐ  流水管
【図１】
2005230768.tif 000003
【図２】
2005230768.tif 000004
【図３】
2005230768.tif 000005
【図４】
2005230768.tif 000006
【図５】
2005230768.tif 000007
【図６】
2005230768.tif 000008
【図７】
2005230768.tif 000009